(57)【要約】【課題】    ハンドピース本体内の、歯磨き用ツール用チャックの交換を安価に行うことができるようにする。【解決手段】  ハンドピース型本体の先端に歯磨き用ツールを取り付け、本体に内蔵したエアータービンの駆動力によって歯磨き用ツールの磨きヘッドを回転させる。本体に、エアータービンの出力軸の回転を減速するための遊星歯車を備えた遊星スピンドルと歯磨き用ツールの入力軸を把持するための管状のチャックを配置し、管状チャックの後部を遊星スピンドルの前部にねじ構造により連結する。【選択図】  図１
2020130755.tif 000002
【特許請求の範囲】
【請求項１】
ハンドピース型本体の先端に歯磨き用ツール１０を取り付け、本体に内蔵したエアータービン１４，６０の駆動力によって歯磨き用ツール１０の磨きヘッド４４を回転するようにした歯科用歯面清掃機器用モーターであって、本体にエアータービン１４，６０の出力軸の回転を減速するための遊星歯車を備えた遊星スピンドル２８，６６を設け、該遊星スピンドル２８，６６に管状のチャック３０，７４を脱着可能に連結し、該チャック３０，７４に前記歯磨き用ツール１０の入力軸２０を結合するようにしたことを特徴とする歯科用歯面清掃機器用モーター。
【請求項２】
前記管状チャック３０の後部を前記遊星スピンドル２８の前部にねじ構造により連結したことを特徴とする請求項１に記載の歯科用歯面清掃機器用モーター。
【請求項３】
前記管状チャック７４の後部を前記本体に回転自在に支承したスピンドル７２の一方向にねじ構造により連結し、該スピンドル７２の他方をカップリング７０，６８を介して前記遊星スピンドル６６の前部に連結したことを特徴とする請求項１に記載の歯科用歯面清掃機器用モーター。
【発明の詳細な説明】
【技術分野】
【０００１】
本発明は、エアータービンを用いた回転型の歯科用歯面清掃機器用モーターに関する。
【背景技術】
【０００２】
ハンドピース型の回転型の歯科用歯磨き器が従来知られている（特許文献１，２参照）。  この種の歯磨き器は、電機モーターや、エアーモーターを駆動源とし、駆動源の回転出力を減速機構と回転伝達機構を通じてハンドピース本体の先端に取り付けた歯磨き用ツールの入力軸に伝え、歯磨き用ツールの磨きヘッドを回転駆動している。
【先行技術文献】
【特許文献】
【０００３】
【特許文献１】特開平７−１９４６１９
【特許文献２】特表２０１０−５０４７７５
【発明の概要】
【発明が解決しようとする課題】
【０００４】
この種の歯科用歯磨き器は、ハンドピース本体の先端側に内蔵した細長管状のチャックに歯磨き用のツールの入力軸を指し込み、入力軸をチャックに把持させて使用される。
歯磨き用ツールの磨きヘッドには、プロフィーペーストを塗るため、チャック内にペーストが付着しやすい。そのため、チャックが正常に機能しなくなってしまうことがある。  チャックの交換を行う場合、チャックが、本体内の回転伝達機構の遊星スピンドルに一体的に形成されていると、回転伝達機構全体を取り換える必要がありコスト高となるという問題点がある。
本発明は、上記問題点を解決することを目的とするものである。
【課題を解決するための手段】
【０００５】
上記目的を達成するため、本発明は、ハンドピース型本体の先端に歯磨き用ツール１０を取り付け、本体に内蔵したエアータービン１４，６０の駆動力によって歯磨き用ツール１０の磨きヘッド４４を回転するようにした歯科用歯面清掃機器用モーターであって、本体にエアータービン１４，６０の出力軸の回転を減速するための遊星歯車を備えた遊星スピンドル２８，６６を設け、該遊星スピンドル２８，６６に管状のチャック３０，７４を脱着可能に連結し、該チャック３０，７４に前記歯磨き用ツール１０の入力軸２０を結合するようにしたことを特徴とする。
また本発明は、前記管状チャック３０の後部を前記遊星スピンドル２８の前部にねじ構造により連結したことを特徴とする。
また本発明は、前記管状チャック７４の後部を前記本体に回転自在に支承したスピンドル７２の一方向にねじ構造により連結し、該スピンドル７２の他方をカップリング７０，６８を介して前記遊星スピンドル６６の前部に連結したことを特徴とするものである。
【発明の効果】
【０００６】
本発明は、チャックと遊星スピンドルを別体に構成したので、チャックが故障したとき、チャックのみの交換が可能であり、本体内の回転伝達機構の修理を安価に行うことができ、本器の保守に掛かるコストを低減させることができる。
【図面の簡単な説明】
【０００７】
【図１】本発明の実施形態を示す全体断面図である。
【図２】遊星スピンドルの断面図である。
【図３】チャックの断面図である。
【図４】本体の先端に歯磨き用ツールを取り付けた状態の一部断面説明図である。
【図５】本発明の他の実施形態を示す全体断面図である。
【図６】本体の後部の内部構造を示す断面図である。
【図７】本体の前部の内部構造を示す断面図である。
【図８】チャックとスピンドルの説明図である。
【図９】本体の先端に歯磨き用ツールを取り付けた状態の一部断面説明図である。
【発明を実施するための形態】
【０００８】
以下に、本発明に係る歯科用歯面清掃機器用モーターの構成を添付した図面を参照して詳細に説明する。
図１は、歯科用歯面清掃機器用モーターの全体構造を示している。ハンドピース型の歯科用歯面清掃機器用モーター２の本体部分は、互いに結合されたスリーブ４，６，８，９から構成され、スリーブ６の前方端に歯磨き用ツール１０の管部が脱着可能に嵌合保持されている。
スリーブ４には、エアーモーター用のエアー供給ホースとエアー排出ホースを備えたホースコネクター１２が連結し、スリーブ４の内部にはエアータービン１４がベアリング１６，１８を介して回転自在に保持されている。
【０００９】
エアータービン１４と管状チャック３０に挿入保持された歯磨き用ツール１０の入力軸２０との間には、エアータービン１４の回転出力軸２２と、減速機構２４と、回転伝達機構２６が配置されている。回転伝達機構２６は、遊星スピンドル２８と細長状の管状チャック３０とから構成されている。遊星スピンドル２８の鍔部には遊星歯車３２が回転自在に軸支され、該遊星歯車３２は、内側のスリーブ８に設けられた内歯歯車３４と、回転出力軸２２に固定された歯車３６と噛み合い、減速機構２４を構成している。
【００１０】
遊星スピンドル２８は、内側スリーブ８の内径部にベアリングを介して回転自在に保持されている。
チャック３０は、内側スリーブ８，９の内径部に挿入配置され、後端部のネジ部３０ａが左ねじ構造により、遊星スピンドル２８のネジ穴２８ａにねじ込まれ、管状チャック３０の後端部と遊星スピンドル２８とが結合している。遊星スピンドル２８には、ベアリング用の予圧スプリング４２が挿着されている。
【００１１】
上記した構成において、エアーモーターを構成するエアータービン１４が駆動されると回転出力軸２２が回転し、この回転は、減速機構２４を介してチャック３０に伝達され、チャック３０に結合する歯磨きツール１０の入力軸２０が回転する。
【００１２】
ツール１０の入力軸２０の回転は、ツール１０に内蔵された方向変換機構（図示省略）を介して磨きヘッド４４に伝達され、磨きヘッド４４が回転する。磨きヘッド４４には、歯垢や歯石落とし用のプロフィーペーストが塗られ、磨きヘッド４４により、患者の歯垢や歯石が取り除かれる。チャック３０が故障したとき、その交換や修理は、本体を分解し、管状チャック３０を遊星スピンドル２８から外すことにより行うことができる。
【００１３】
次に、本発明の他の実施形態を図５乃至図８を参照して詳細に説明する。
歯科用歯面清掃機器用モーター５０の本体部分は、スリーブ５２，５４，５６，５７から構成され、スリーブ５２側にインサートガイド部５２ａが形成されている。スリーブ５２には、ホースコネクター５８が連結し、スリーブ５２の内部には、エアータービン６０が回転自在に保持されている。
【００１４】
エアータービン６０の出力軸６３と、スリーブ５６の先端との間には、減速機構６２と、回転伝達機構６４が配置されている。回転伝達機構６４は、遊星スピンドル６６と、カップリング６８，７０と、スピンドル７２と、細長状の管状チャック７４とから構成されている。減速機構６２は、第１の実施形態と同一の構造を備えている。
【００１５】
管状チャック７４は、スリーブ５６の内径部にベアリング７６を介して配置され、スピンドル７２とねじ構造７４ａ，７２ａを介して連結している（図８参照）。
スピンドル７２は、ベアリング７８を介して、スリーブ５４の内径部に回転自在に保持され、カップリング７０，６８を介して、遊星スピンドル６６に連結している。チャック７４とスピンドル７２の外周面にはそれぞれ予圧スプリング８０，８２が挿着されている。
【００１６】
上記した構成において、エアータービン６０が回転すると、出力軸６３が回転し、この回転は、減速機構６２を介して遊星スピンドル６６に伝達される。
この遊星スピンドル６６の回転は、カップリング６８，７０を介して管状チャック７４に伝達される。
管状チャック７４の修理や交換は、本体を分解して、管状チャック７４をスピンドル７２から外すことにより行うことができる。
図９は、本実施形態の歯科用歯面清掃機器用モーター５０に歯磨きツール１０を結合した状態を示し、ツール１０のヘッド４４は、歯科用歯面清掃機器用モーター５０により回転駆動される。
【符号の説明】
【００１７】
２      歯科用歯面清掃機器用モーター
４      スリーブ
６      スリーブ
８      スリーブ
９      スリーブ
１０    プロフィーヘッド（歯磨き用ツール）
１２    ホースコネクター
１４    エアータービン
１６    ベアリング
１８    ベアリング
２０    入力軸
２２    回転タービン出力軸
２４    減速機構
２６    回転伝達機構
２８    遊星スピンドル
３０    管状チャック
３０ａ  ネジ部
３２    遊星歯車
３４    内歯歯車
３６    歯車
３８    ベアリング
４０    ベアリング
４２    スプリング
４４    磨きヘッド（カップ）
５０    歯科用歯面清掃機器用モーター
５２    スリーブ
５４    スリーブ
５６    スリーブ
５７    スリーブ
５８    ホースコネクター
６０    エアータービン
６２    減速機構
６３    出力軸
６４    回転伝達機構
６６    遊星スピンドル
６８    カップリング
７０    カップリング
７２    スピンドル
７４    管状チャック
７６    ベアリング
７８    ベアリング
８０    スプリング
８２    スプリング
【図１】
2020130755.tif 000003
【図２】
2020130755.tif 000004
【図３】
2020130755.tif 000005
【図４】
2020130755.tif 000006
【図５】
2020130755.tif 000007
【図６】
2020130755.tif 000008
【図７】
2020130755.tif 000009
【図８】
2020130755.tif 000010
【図９】
2020130755.tif 000011